(57)【要約】【課題】工作機械と、ワーク交換装置とを備え、床の汚染を防止することができる工作装置を提供する。【解決手段】工作装置は、工作機械と、該工作機械の開閉扉の隣に配置してあり、前記工作機械の内外を移動してワークを交換するワーク交換装置とを備える。前記開閉扉の下方に、冷却液を受け部に案内する案内部が設けてある。開閉扉の下方に配置された案内部によって、冷却液は、受け部に向けて移動する。故に冷却液が床を汚染することを防止できる。【選択図】図６
2019115964.tif 000002
【特許請求の範囲】
【請求項１】
工作機械と、該工作機械の開閉扉の隣に配置してあり、前記工作機械の内外を移動してワークを交換するワーク交換装置とを備える工作装置において、
前記開閉扉の下方に、冷却液を受け部に案内する案内部が設けてあること
を特徴とする工作装置。
【請求項２】
前記案内部は、
前記開閉扉を設置した前記工作機械の壁面に取り付けてあり、前記壁面及びワーク交換装置の間に向けて冷却液を案内する第一案内部と、
該第一案内部の下側にて、前記工作機械及びワーク交換装置の間に配置してあり、前記受け部に冷却液を案内する第二案内部と
を有することを特徴とする請求項１に記載の工作装置。
【請求項３】
前記第一案内部は前記第二案内部に向けて下降傾斜すること
を特徴とする請求項２に記載の工作装置。
【請求項４】
前記案内部は樋状をなすこと
を特徴とする請求項１に記載の工作装置。
【請求項５】
前記案内部は下降傾斜すること
を特徴とする請求項４に記載の工作装置。
【請求項６】
前記ワーク交換装置に、前記受け部に冷却液を案内する第三案内部が設けてあること
を特徴とする請求項１から５のいずれか一つに記載の工作装置。
【発明の詳細な説明】
【技術分野】
【０００１】
本発明は、工作機械及びワーク交換装置を備える工作装置に関する。
【背景技術】
【０００２】
従来、工作装置は、工作機械とワーク交換装置を備える。ワーク交換装置は、工作機械の隣に配置してある。ワーク交換装置は、工作機械の壁面に形成した窓を通って、工作機械の内外を移動し、ワークを交換する。作業者はワークの交換を行う必要が無い（例えば特許文献１参照）。
【先行技術文献】
【特許文献】
【０００３】
【特許文献１】特開２０１７−１７７２８７号公報
【発明の概要】
【発明が解決しようとする課題】
【０００４】
ワーク交換装置はワークを保持して、窓を通る。ワークには冷却液が付着している。ワークが窓を通る時、冷却液は落下してワークから工作機械の壁面に移動し、更に床に落下する。冷却液は床を汚染する。
【０００５】
本発明は斯かる事情に鑑みてなされたものであり、床の汚染を防止することができる工作装置を提供することを目的とする。
【課題を解決するための手段】
【０００６】
本発明に係る工作装置は、工作機械と、該工作機械の開閉扉の隣に配置してあり、前記工作機械の内外を移動してワークを交換するワーク交換装置とを備える工作装置において、前記開閉扉の下方に、冷却液を受け部に案内する案内部が設けてあることを特徴とする。
【０００７】
本発明においては、開閉扉の下方に配置された案内部によって、冷却液は、受け部に向けて移動する。
【０００８】
本発明に係る工作装置は、前記案内部は、前記開閉扉を設置した前記工作機械の壁面に取り付けてあり、前記壁面及びワーク交換装置の間に向けて冷却液を案内する第一案内部と、該第一案内部の下側にて、前記工作機械及びワーク交換装置の間に配置してあり、前記受け部に冷却液を案内する第二案内部とを有することを特徴とする。
【０００９】
本発明においては、開閉扉を通る時にワークから落下した冷却液が工作機械の壁面に付着した場合、冷却液は、第一案内部によって、工作機械の壁面とワーク交換装置の間、即ち第二案内部に向けて落下する。冷却液は、第二案内部によって、受け部に向けて移動する。
【００１０】
本発明に係る工作装置は、前記第一案内部は前記第二案内部に向けて下降傾斜することを特徴とする。
【００１１】
本発明においては、冷却液は第一案内部から第二案内部に向けて流下する。
【００１２】
本発明に係る工作装置は、前記案内部は樋状をなすことを特徴とする。
【００１３】
本発明においては、冷却液は、樋状をなす案内部の端部に向けて移動し、予め定めた方向に移動し、受け部に直接向かうことができる。
【００１４】
本発明に係る工作装置は、前記案内部は下降傾斜することを特徴とする。
【００１５】
本発明においては、冷却液は案内部を流下し、受け部に直接向かう。
【００１６】
本発明に係る工作装置は、前記ワーク交換装置に、前記受け部に冷却液を案内する第三案内部が設けてあることを特徴とする。
【００１７】
本発明においては、第三案内部は、ワーク交換装置付近における冷却液を受け部に案内する。第三案内部が所定領域における冷却液を収集するので、受け部の面積を小さくできる。
【発明の効果】
【００１８】
本発明にあっては、開閉扉の下方に配置された案内部によって、冷却液は、受け部に向けて移動する。故に冷却液が床を汚染することを防止できる。
【図面の簡単な説明】
【００１９】
【図１】実施の形態１に係る前方から見た工作装置を略示する斜視図である。
【図２】後方から見た工作装置を略示する斜視図である。
【図３】工作装置を略示する正面図である。
【図４】工作装置を略示する右側面図である。
【図５】ワーク交換装置の記載を省略した工作装置を略示する右側面図である。
【図６】前板部付近を略示する工作装置の部分拡大正面図である。
【図７】図３のＶＩＩ−ＶＩＩ線を切断線とした略示断面図である。
【図８】実施の形態２に係る工作装置を略示する右側面図である。
【図９】ワーク交換装置を省略した工作装置の略示右側面図である。
【図１０】受け部付近の構成を略示する部分拡大平面図である。
【図１１】第一案内部の略示縦断面図である。
【発明を実施するための形態】
【００２０】
（実施の形態１）
以下本発明を実施の形態に係る工作装置を示す図面に基づいて説明する。図１は、前方から見た工作装置を略示する斜視図、図２は、後方から見た工作装置を略示する斜視図、図３は、工作装置を略示する正面図、図４は、工作装置を略示する右側面図である。以下の説明では図に示す上下前後左右を使用する。
【００２１】
工作装置は、工作機械１と、ワーク交換装置２０とを備える。工作機械１は、基台２と、該基台２に設けた立柱３とを備える。立柱３は主軸ヘッド７を上下動可能に支持する。主軸ヘッド７は、上下方向を回転軸方向とした主軸４を回転可能に支持する。主軸ヘッド７の上端に主軸モータ５が設けてある。
【００２２】
立柱３はタレット型の工具マガジン６を支持する。工具マガジン６は主軸ヘッド７の前側に配置してある。工具マガジン６の周囲に複数の工具が保持してある。主軸ヘッド７の上下動によって、主軸４に対する工具の取付及び取り外しを行う。主軸４の下方に左右方向及び前後方向に移動可能なテーブル１５が配置してある。テーブル１５に治具（図示略）を設ける。治具はワーク１６の保持及び保持の解除を行う。
【００２３】
工作機械１の上側、前側、後側、右側及び左側をカバー８が覆う。カバー８の前面に扉９が設けてある。扉９の右側に、作業者の操作を受け付ける操作部１１及び画像を表示する表示部１２が設けてある。カバー８の後側に制御装置１０が設けてある。制御装置１０の下側にポンプ装置６０が設けてある。ポンプ装置６０は、工具交換時又はワーク１６の加工時に、主軸４、工具又はワーク１６に冷却液を供給し、供給した冷却液を回収する。
【００２４】
カバー８の右面、即ち工作機械１の右壁面に開閉扉１３が設けてある。開閉扉１３の右側にワーク交換装置２０は配置してある。ワーク交換装置２０は、支持台２１と、アーム２２と、レール取付部２４とを備える。支持台２１は上下に延びた柱状をなす。支持台２１の上端部にアーム２２が取り付けてある。アーム２２は左右に移動する。アーム２２の先端部に把持部２２ａが設けてある。
【００２５】
支持台２１の後面上部に、第三案内部２３が設けてある。第三案内部２３は、水平方向に延びた四角形の皿状をなす。第三案内部２３の底面は、前側が後側よりも下になるように若干傾斜している。第三案内部２３の底面には上下に延びた排液筒２３ａが設けてある。排液筒２３ａは、第三案内部２３の底面の前縁部に位置し、前記底面を貫通している。第三案内部２３の底面の周縁部に堰２３ｂが設けてある。
【００２６】
支持台２１の下部と工作機械１の間にレール取付部２４が設けてある。レール取付部２４は、前後方向に対向する前板部２４ａと後板部２４ｂを備える。前板部２４ａ及び後板部２４ｂ夫々の左部分は、連結部３０を介して基台２に連結する。前板部２４ａと後板部２４ｂの間にレール（図示略）が設けてある。レールは前後に延び、支持台２１の下部はレールに摺動可能に連結する。支持台２１はボールねじ機構（図示略）に連結する。ボールねじ機構は前板部２４ａと後板部２４ｂの間に配置してある。ボールねじ機構の駆動によって、支持台２１はレールに沿って移動する。
【００２７】
前板部２４ａと後板部２４ｂの右側に蛇腹状のカバー２５が二つ設けてある。一方のカバー２５は、支持台２１の下部前側と前板部２４ａを接続し、他方のカバー２５は、支持台２１の下部後側と後板部２４ｂを接続する。カバー２５は、右側からレール及びボールねじ機構を覆う。制御装置１０は開閉扉１３を開き、アーム２２は工作機械１の内外を移動し、把持部２２ａでワーク１６を把持し、ワーク１６を交換する。制御装置１０はボールねじ機構を駆動し、アーム２２は前後に移動する。カバー２５はアーム２２の前後動に応じて伸縮し、レール及びボールねじ機構を覆い続ける。
【００２８】
レール取付部２４の下側に、冷却液を受ける受け部５０が配置してある。受け部５０は前後に延びた平面視矩形板状をなす。受け部５０の上面縁部全体に堰５０ａが設けてある。受け部５０の下面には排出管５０ｂが連結している。受け部５０の四隅に移動脚５１が設けてある。移動脚５１は下方に突出し、移動脚５１の下端部に車輪５１ａが取り付けてある。作業者は受け部５０を動かし、所望の場所に受け部５０を配置することができる。
【００２９】
図５は、ワーク交換装置２０の記載を省略した工作装置を略示する右側面図、図６は、前板部２４ａ付近を略示する工作装置の部分拡大正面図、図７は、図３のＶＩＩ−ＶＩＩ線を切断線とした略示断面図である。図５に示すように、開閉扉１３の下側において、カバー８の右面、即ち工作機械１の右壁面に第一案内部４１が設けられている。第一案内部４１は前後に延びる。第一案内部４１は、開閉扉１３の前後幅全体に亘って配置してある。
【００３０】
図６に示すように、第一案内部４１は、第一板部４１ａと第二板部４１ｂを備える。第一板部４１ａと第二板部４１ｂは前後に延びる。第一板部４１ａの長辺と第二板部４１ｂの長辺が連結する。第一板部４１ａに対して第二板部４１ｂは傾斜し、第一板部４１ａと第二板部４１ｂがなす内角は鈍角である。第二板部４１ｂを下向き且つ右向きにして、第一板部４１ａは工作機械１の右壁面に取り付けられている。第二板部４１ｂは斜め右下に延び、工作機械１の右壁面とワーク交換装置２０の間の空間に向く。即ち、第一案内部４１は第二案内部４２に向けて下降傾斜する。
【００３１】
レール取付部２４の上部に第二案内部４２が設けられている。第二案内部４２は前後に延びる。第二案内部４２は、前後に延びる矩形の底板部４２ａと、底板部４２ａの右縁部及び左縁部夫々から上方に突出した堰４２ｂとを備える。図６に示すように、レール取付部２４の上面は、前方視階段状をなす。底板部４２ａの形状も前方視階段状をなし、レール取付部２４の上面に倣う形状である。底板部４２ａの形状は、レール取付部２４の上面に倣う形状であればよく、階段状に限定されない。例えば前方視平板状又は曲面状でもよい。第二案内部４２の前後寸法はカバー８の前後寸法と略同じであり、図７に示すように、カバー８に対して若干後方に偏倚している。
【００３２】
受け部５０の前後寸法は第二案内部４２の前後寸法よりも長い。受け部５０の前端部は、第二案内部４２の前端部よりも前側に位置し、受け部５０の後端部は、第二案内部４２の後端部よりも後側に位置する。左右方向において、第二案内部４２は、受け部５０の左縁部及び右縁部の間に配置してある。
【００３３】
開閉扉１３が開き、アーム２２はワーク１６を把持し、工作機械１の内外を移動する。ワーク１６に付着した冷却液が落下し、第一案内部４１よりも上側にて、工作機械１の右側面に付着した場合、冷却液は第一案内部４１に至り、第一板部４１ａと第二板部４１ｂに沿って下方に移動し、第二板部４１ｂの下端から第二案内部４２に落下する。冷却液は底板部４２ａにて拡がる。堰４２ｂが、冷却液の左右方向への移動を制限するので、底板部４２ａの前端部又は後端部に向けて、冷却液は移動する。冷却液は、底板部４２ａの前端部又は後端部から落下し、受け部５０に至る。冷却液は排出管５０ｂを通り、排出される。受け部５０の上面は排出管５０ｂに向けて下降傾斜してもよい。
【００３４】
ワーク１６に付着した冷却液が第三案内部２３に落下した場合、冷却液は第三案内部２３の底面を前方に移動する。堰２３ｂが冷却液の移動を制限するので、冷却液は排液筒２３ａに集まり、排液筒２３ａを通って落下し、受け部５０に至る。なお第三案内部２３の底面は、後側が前側よりも下になるように傾斜してもよい。この場合、排液筒２３ａは、第三案内部２３の底面の後縁部に位置する。
【００３５】
実施の形態１に係る工作装置にあっては、開閉扉１３の下方に配置された第一案内部４１及び第二案内部４２によって、冷却液は、受け部５０に向けて移動する。故に冷却液が床を汚染することを防止できる。
【００３６】
ワークが開閉扉１３を通る時にワークから落下した冷却液が工作機械１の壁面に付着した場合、冷却液は、第一案内部４１によって、工作機械の壁面とワーク交換装置２０の間、即ち第二案内部４２に向けて落下する。冷却液は、第二案内部４２によって、受け部５０に向けて移動する。
【００３７】
第一案内部４１は第二案内部４２に向けて下降傾斜するので、冷却液は第一案内部４１から第二案内部４２に向けて流下する。
【００３８】
ワーク交換装置２０の付近において、第三案内部２３が冷却液を受け部５０に案内する。第三案内部２３はアーム２２の後側領域において、冷却液を収集する。第三案内部２３が冷却液を収集する領域に受け部５０を配置する必要はない。実施の形態においては、第三案内部２３はアーム２２の後側に配置してあるので、受け部５０を後方に延ばす必要がなく、受け部５０の面積を小さくし、小型化できる。
【００３９】
（実施の形態２）
以下本発明を実施の形態２に係る工作装置を示す図面に基づいて説明する。実施の形態２に係る構成の内、実施の形態１と同様な構成については同じ符号を付し、その詳細な説明を省略する。図８は、工作装置を略示する右側面図、図９は、ワーク交換装置２０を省略した工作装置の略示右側面図、図１０は、受け部５０付近の構成を略示する部分拡大平面図、図１１は、第一案内部１４１の略示縦断面図である。
【００４０】
図８、図９に示すように、開閉扉１３の下側において、カバー８の右面、即ち工作機械１の右壁面に第一案内部１４１が設けられている。図１１に示すように、第一案内部１４１は樋状をなし、前後に延びる。第一案内部１４１は、前後方向において、開閉扉１３の後端部とカバー８の前部の間に亘って配置してある。即ち、第一案内部１４１の前端部は、開閉扉１３の前端部よりも前側に配置してある。
【００４１】
第一案内部１４１は、前側が後側よりも下になるように傾斜している。図８に示すように、第一案内部１４１の前端部は第二案内部４２の前端部の上側に配置してある。なお第一案内部１４１の前端部は、第二案内部４２よりも前側且つ受け部５０の上側に配置してもよい。
【００４２】
ワーク１６に付着した冷却液が落下し、第一案内部１４１に至った場合、冷却液は第一案内部１４１の前端に向けて流下する。流下した冷却液は第二案内部４２を介して受け部５０に至るか、又は直接受け部５０に至る。第一案内部１４１の前端部を、第二案内部４２よりも前側且つ受け部５０の上側に配置した場合、冷却液が受け部５０よりも前側に落下しないように、受け部５０を配置する。
【００４３】
なお第一案内部１４１は、後側が前側よりも下になるように傾斜してもよい。この場合、第一案内部１４１の後端部を受け部５０の上側に配置する。第二案内部４２を削除し、第一案内部１４１の前端部又は後端部から、受け部５０に直接冷却液が落下するようにしてもよい。
【００４４】
実施の形態２に係る工作装置にあっては、冷却液は、樋状をなす第一案内部１４１の前端部に向けて移動し、第二案内部４２に向かうか又は受け部５０に直接向かうことができる。
【符号の説明】
【００４５】
１  工作機械
１３  開閉扉
２０  ワーク交換装置
２３  第三案内部
４１  第一案内部
４２  第二案内部
５０  受け部
【図１】
2019115964.tif 000003
【図２】
2019115964.tif 000004
【図３】
2019115964.tif 000005
【図４】
2019115964.tif 000006
【図５】
2019115964.tif 000007
【図６】
2019115964.tif 000008
【図７】
2019115964.tif 000009
【図８】
2019115964.tif 000010
【図９】
2019115964.tif 000011
【図１０】
2019115964.tif 000012
【図１１】
2019115964.tif 000013